(57)【特許請求の範囲】
【請求項１】
装置内部と装置外部とを電気的に接続すべく装置側に設けられるコネクタであって、装置内部で第２の部品が搭載されたプリント基板に固定された状態で装置の筐体に固定支持されるコネクタハウジングと、前記プリント基板に搭載されないで装置内部に設けられた第１の部品に電気的に接続される端子により構成された第１の端子群と、装置内部の前記第２の部品に電気的に接続される端子により構成された第２の端子群とを備えたコネクタにおいて、
前記第１の端子群を構成する端子は、細長状の一体形成部材であり、その一端部が前記コネクタハウジング内に配設されると共に、その他端部が前記コネクタハウジングの外部に導出され、
前記コネクタハウジングに、前記第１の端子群を構成する端子の外部への導出部分を端子部とするコネクタ部であって、前記プリント基板を貫通して前記装置の筺体内で前記第１の部品側のコネクタ部に嵌合可能なものが形成され、
前記第２の端子群を構成する端子は、その一端部が前記コネクタハウジング内に配設されると共に、その他端部が前記コネクタハウジングの外部に導出されて前記プリント基板に搭載された前記第２の部品に半田付けにより接続可能に形成されたことを特徴とするコネクタ。
【請求項２】
装置内部と装置外部とを電気的に接続すべく装置側に設けられるコネクタであって、装置内部で第２の部品が搭載されたプリント基板に固定された状態で装置の筐体に固定支持されるコネクタハウジングと、前記プリント基板に搭載されないで装置内部に設けられた第１の部品に電気的に接続される端子により構成された第１の端子群と、装置内部の前記第２の部品に電気的に接続される端子により構成された第２の端子群とを備えたコネクタにおいて、
前記第１の端子群を構成する端子は、細長状の一体形成部材であり、その一端部が前記コネクタハウジング内に配設されると共に、その他端部が前記コネクタハウジングの外部に導出され、
前記第１の端子群を構成する端子の外部への導出部分を前記プリント基板に貫通させて、その導出部分に前記装置の筺体内で前記第１の部品側の接続端子に接続可能な中継端子を設け、
前記第２の端子群を構成する端子は、その一端部が前記コネクタハウジング内に配設されると共に、その他端部が前記コネクタハウジングの外部に導出されて前記プリント基板に搭載された前記第２の部品に半田付けにより接続可能に形成されたことを特徴とするコネクタ。
【発明の詳細な説明】
【０００１】
【産業上の利用分野】
この発明は、例えば、装置内部の部品と装置外部とを電気的に接続すべく装置側に設けられるコネクタであって、装置内外を電気的に接続する接続端子を有するコネクタに関する。
【０００２】
【従来の技術】
一般に、装置内部の部品に装置外部から電源や電気信号を供給する場合、装置の筐体等に外部電線を接続するためのコネクタを取り付け、その接続端子から前記部品等に電源や電気信号を供給するといった方法がある。
【０００３】
この種のコネクタは、一般に絶縁性樹脂によって形成されたコネクタハウジングと、このコネクタハウジングに収容保持される接続端子とから構成されており、コネクタハウジングを装置の外側に露出した状態で装置の筐体などに取り付けられ、このハウジングに装置外部のワイヤーハーネスに取り付けられたコネクタ部等が嵌合される一方、装置内部においてはコネクタの端子と部品とが半田付け等によって接続されるようになっている。
【０００４】
【発明が解決しようとする課題】
ところが、上述したように従来の場合、コネクタの端子と装置内部の部品とを半田付け等によって接続するため、これらの接続を容易に行うことができず、コネクタと装置内部の部品との接続工数が増大する。
【０００５】
そこで、この発明の課題は、上記の不都合を解消すべくなされたもので、コネクタと部品との接続を容易に行えるコネクタを提供することにある。
【０００６】
【課題を解決するための手段】
請求項１記載の発明は、装置内部と装置外部とを電気的に接続すべく装置側に設けられるコネクタであって、装置内部で第２の部品が搭載されたプリント基板に固定された状態で装置の筐体に固定支持されるコネクタハウジングと、前記プリント基板に搭載されないで装置内部に設けられた第１の部品に電気的に接続される端子により構成された第１の端子群と、装置内部の第２の部品に電気的に接続される端子により構成された第２の端子群とを備えたコネクタにおいて、前記第１の端子群を構成する端子は、細長状の一体形成部材であり、その一端部が前記コネクタハウジング内に配設されると共に、その他端部が前記コネクタハウジングの外部に導出され、前記コネクタハウジングに、前記第１の端子群を構成する端子の外部への導出部分を端子部とするコネクタ部であって、前記装置の筺体内で前記第１の部品側のコネクタ部に嵌合可能なものが形成され、前記第２の端子群を構成する端子は、その一端部が前記コネクタハウジング内に配設されると共に、その他端部が前記コネクタハウジングの外部に導出されて前記プリント基板に搭載された第２の部品に半田付けにより接続可能に形成されたことを特徴とするコネクタを提供したのである。
【０００７】
さらに、請求項２記載のように、端子の外部への導出部分に、前記装置の筺体内で前記第１の部品側の接続端子に接続可能な中継端子を設けてもよい。
【０００８】
【作用】
以上のように構成されたコネクタにおいては、第１の端子群を構成する端子は、細長状の一体形成部材であり、その一端部が前記コネクタハウジング内に配設されると共に、その他端部が前記コネクタハウジングの外部に導出され、前記コネクタハウジングに、前記端子の外部への導出部分を端子部とするコネクタ部であって、前記プリント基板を貫通して前記装置の筺体内で前記第１の部品側のコネクタ部に嵌合可能なものが形成されたため、第１の端子群については、従来のようにコネクタと部品との接続を電線等を介して半田付けにより行う必要がなく、上記したコネクタ部に嵌合するコネクタ部を部品側に設けておけばよく、接続工数が低減される。
しかも、前記第２の端子群を構成する端子は、その一端部が前記コネクタハウジング内に配設されると共に、その他端部が前記コネクタハウジングの外部に導出されて前記プリント基板に搭載された第２の部品に半田付けにより接続可能に形成されるため、これら第２の端子群を構成する端子については半田付けによりプリント基板の第２の部品に接続できる。
【０００９】
また、端子の外部への導出部分に、前記装置の筺体内で前記第１の部品側の接続端子に接続可能な中継端子を設けることも効果的である。
【００１０】
【実施例】
（第１実施例）
図１はこの発明のコネクタの第１実施例の斜視図、図２は後ろ斜め上方から見た斜視図、図３は切断平面図、図４はこのコネクタが使用されるアンチロックブレーキシステム（以下ＡＢＳという）における一体化ユニットを示す斜視図、図５は図４の分解斜視図である。
【００１１】
まず、本実施例のコネクタが使用されるＡＢＳにおける一体化ユニットの概略構成について説明する。
【００１２】
図４及び図５に示すように、このＡＢＳにおける一体化ユニットは、油圧ユニット１と電子制御ユニット２とからなる。
【００１３】
そして、この油圧ユニット１は、適宜油路等が形成されてなるハウジング４と、ハウジング４に取付け固定されるアクチュエータとしてのモータ５と、油路を開閉するための複数のフローコントロールバルブをそれぞれ作動させる複数のソレノイド６と、ハウジング４の底部に取付け固定されるベース板７とから構成されている。
【００１４】
さらに、電子制御ユニット２は、電子部品等（第２の部品）が搭載されたプリント基板９と、後述するようにコネクタ２０の後面側に形成されたコネクタ部２６に嵌合するコネクタ部１１ａが前面に形成されたジャンクションブロック１０と、ジャンクションブロック１０の後面に形成されたコネクタ部１１ｂに接続される複数のリレー１２と、プリント基板９に固定されるコネクタ２０と、これらプリント基板９，ジャンクションブロック１０やコネクタ２０等が収容される対の分割ケース体１３ａ，１３ｂよりなるケース１３とから構成されている。
【００１５】
そして、プリント基板９，ジャンクションブロック１０，コネクタ２０等が電気的に接続され、図４に示すように、プリント基板９に備えられたコネクタ２０のハウジング本体２１ｂが一方の分割ケース体１３ａの前面の開口より外部に突出するように分割ケース体１３ａ内に収容されている。
【００１６】
また、他方の分割ケース体１３ｂには、リレー１２が収容されるリレー収容部１３ｃや、各ソレノイド６の接続部６ａが挿通される挿通孔１３ｄがそれぞれ形成され、分割ケース体１３ｂの外面側にはネジ挿通孔を有する取付けボス１３ｅが設けられている。
【００１７】
そして、各ソレノイド６の接続部６ａはそれぞれ各挿通孔１３ｄを介してプリント基板９やジャンクションブロック１０の所定位置に直結されて保持されている。なお、各コネクタ挿通孔１３ｄに挿通された各接続部６ａと分割ケース体１３ｂの相互間は、各接続部６ａの外周に装着されたＯリング６ｂによって防水シールが施されている。
【００１８】
さらに、各分割ケース体１３ａ，１３ｂの外周部接合面に沿って図示省略のゴム板状のシール体が配置された状態で、互いにネジ１５により締結されている。このケース１３及び前記ハウジング４をベース板７上の所定位置に配置すると共に、取付けボス１３ｅのネジ挿通孔に固定ネジ１６をねじ込むことによりベース板７とハウジング４が互いに固定され、ここに、油圧ユニット１と電子制御ユニット２とが一体化されている。
【００１９】
また、ベース板７の一端部には、車両のシャーシに取付けるためのネジ部７ａが備えられている。
【００２０】
そして、前記分割ケース体１３ａの開口より突出したコネクタ２０に、車両側からの各種センサ信号等やバッテリからの電気等の入力用のワイヤーハーネス１８端部に備えられたハーネス側コネクタ１９が着脱自在に接続される。
【００２１】
ところで、このコネクタ２０は、図１及び図２に示すように、基板２１ａ及びこの基板２１ａの前面側に一体に形成され上記したハーネス側コネクタ１９が嵌着される角筒状のハウジング本体２１ｂから成りプリント基板９に固定されるコネクタハウジング２１と、コネクタハウジング２１内の下側に並設して収容され後半部がコネクタハウジング２１の外部に導出された大電流用の第１の端子群を構成する２個の平形端子２２と、コネクタハウジング２１内の上側に収容され後半部がコネクタハウジング２１の外部に導出された小電流用の第２の端子群を構成する複数のピン端子２３とにより構成されており、各ピン端子２３のコネクタハウジング２１の外部への導出部分は、コネクタハウジング２１をプリント基板９に固定した状態でプリント基板９の実装部品等と電気的に接続されている。
【００２２】
また、図２に示すように、第１の端子群を構成する平型端子２２は、細長状の一体形成部材であり、その一端部がコネクタハウジング２１内に配設され、両平形端子２２のコネクタハウジング２１の外部への導出部分である後半部（他端部）を端子部とするコネクタ部２６がコネクタハウジング２１の基板２１ａの後面下部に形成されており、このコネクタ部２６がプリント基板９を貫通してケース１３内でジャンクションブロック１０のコネクタ部１１ａと嵌合するようになっている。
【００２３】
なお、このジャンクションブロック１０のコネクタ部１１ａは、図３（ａ）に示すように、電気回路要素であるジャンクションブロック１０のバスバー１０ａの一部が前方へ折曲されて接続端子２７が形成され、この接続端子２７に雌型中継端子２８の後部が装着され、この雌型中継端子２８を包被，収容するようにハウジング２９がジャンクションブロック１０の前面左下端部に一体に形成され、接続端子２７，中継端子２８及びハウジング２９によりコネクタ部１１ａが構成されている。
【００２４】
そして、図３（ｂ）に示すように、両コネクタ部１１ａ，２６の嵌合により、コネクタ部２６の内部において平形端子２２の後部がコネクタ部１１ａの中継端子２８の前部に嵌挿されて平形端子２２がバスバー１０ａに接続され、このようにバスバー１０ａに接続された平形端子２２はさらにワイヤーハーネス３０（図５参照）を介してモータ５等と接続されるとともに、コネクタハウジング２１の内側においてはハーネス側コネクタ１９及びワイヤーハーネス１８等を介して平形端子２２がバッテリ等と接続される。
【００２５】
このとき、ワイヤーハーネス３０はリレー収容部１３ｃの後壁をシール材等によって液密に貫通してケース１３内に導入されている。
【００２６】
また、各ピン端子２３のコネクタハウジング２１の外部側にはプリント基板９の実装電子部品が半田付けにより接続されるとともに、各ピン端子２３のコネクタハウジング２１の内部側にはハーネス側コネクタ１９及びワイヤーハーネス１８を介して各種センサが接続される。
【００２７】
従って、ひとつのコネクタハウジング２１内に第１の端子群を構成する両平形端子２２と第２の端子群を構成する各ピン端子２３とを収容し、両平形端子２２のコネクタハウジング２１外部への導出部分の少なくとも一部にコネクタ部２６を形成したため、このコネクタ部２６とジャンクションブロック１０のバスバー１０ａの一部を端子とするコネクタ部１１ａとを嵌合するだけで、装置内部の部品とコネクタ２０とを容易に接続することができ、第１の端子群については、従来のような半田付け工程が不要となる。
また、装置内部と装置外部とを電気的に接続すべく装置側に設けられるコネクタ２６に備えられた第１及び第２の端子群のうち、第１の端子群を構成する平型端子２２については、コネクタ部２６とコネクタ部１１ａとのコネクタ接続により装置内部で第１の部品と容易にコネクタ接続でき、第２の端子群を構成するピン端子２３については、装置内でプリント基板９に搭載された実装電子部品に半田付けにより接続できる。
【００２８】
（第２実施例）
図６はこの発明の第２実施例の切断平面図である。
【００２９】
図６（ａ）において、図３（ａ）と同一符号は同一のもの若しくは相当するものを示し、図３（ａ）と相違するのは、ジャンクションブロック１０のコネクタ部１１ａに代え、モータ５に接続されたワイヤーハーネス３０の先端に接続端子３２を端子接続し、この接続端子３２を収容するようにハウジング３３を装着してコネクタ部３４を構成し、図６（ｂ）に示すようにこのコネクタ部３４とコネクタ部２６とを嵌合して平形端子２２とワイヤーハーネス３０とを接続するようにしたことである。
【００３０】
従って、第２実施例によれば、第１実施例の場合と同様の効果を得ることができる。
【００３１】
（第３実施例）
図７はこの発明の第３実施例の斜視図、図８は後ろ斜め上方から見た斜視図、図９は切断平面図、図１０はこのコネクタが使用されるＡＢＳにおける一体化ユニットを示す分解斜視図である。
【００３２】
本実施例のコネクタが使用されるＡＢＳにおける一体化ユニットの構成は、基本的に図５に示すものとほぼ同じであり、図５におけるジャンクションブロック１０のコネクタ部１１ａに代え、図１０及び図９（ａ）に示すように、図３（ａ）の場合と同様にバスバー１０ａの一部を折曲して形成した接続端子２７を収容した角筒状のハウジング３６をジャンクションブロック１０の前面左下端部に一体に形成し、プリント基板９には図５におけるコネクタ２０に代えてこれと若干構成の異なるコネクタ４０を固定した点が図５と相違している。
【００３３】
ところで、このコネクタ４０は、図７及び図８に示すように、基板４１ａ及びこの基板４１ａの前面側に一体に形成され上記したハーネス側コネクタ１９が嵌着される角筒状のハウジング本体４１ｂから成りプリント基板９に固定されるコネクタハウジング４１と、コネクタハウジング４１内の下側に並設して収容され後半部がコネクタハウジング４１の外部に導出された大電流用接続端子である２個の平形端子４２と、コネクタハウジング４１内の上側に収容され後半部がコネクタハウジング４１の外部に導出された小電流用接続端子である複数のピン端子４３とにより構成されており、各ピン端子４３のコネクタハウジング４１の外部への導出部分は、コネクタハウジング４１をプリント基板９に固定した状態でプリント基板９の実装部品等と電気的に接続されている。また、平型端子４２の外部への導出部分はプリント基板９を貫通している。
【００３４】
そして、図９（ａ）に示すように、平形端子４２のコネクタハウジング４１の外部への導出部分に図８に示すような外形の中継端子４５の前部が装着され、図９（ｂ）に示すように、ケース１３内で、ハウジング３６内においてこの中継端子４５の後部と（装置内部の部品側の）接続端子２７とが電気的に接続されて中継端子４５を介しバスバー１０ａと平形端子４２とが接続され、このようにバスバー１０ａに接続された平形端子４２がさらにワイヤーハーネス３０（図１０参照）を介してモータ等と接続される。
【００３５】
ここで、ピン端子４３がハーネス側コネクタ１９等を介して各種センサ等に接続され、コネクタハウジング４１の内側において、平形端子４２がハーネス側コネクタ１９等を介してバッテリと接続されているのは、第１実施例と同じである。
【００３６】
従って、第３実施例によれば、第１実施例の場合と同様の効果を得ることができる。
【００３７】
なお、第３実施例に示す中継端子４５によりワイヤーハーネスと平形端子４２とを接続するようにしてもよいのは勿論である。
【００３８】
また上記各実施例では、第１の端子群を平形端子とし第２の端子をピン端子とした場合について説明したが、それぞれこれらに限定されるものでないのは勿論である。
【００３９】
さらに、ハウジング内における大電流用，小電流用の各々の端子群の配置についても、上記各実施例に示すものに限られるものでない。
【００４０】
そして、この発明は上記したＡＢＳにおける一体化ユニットに限らず、トラクションコントロールシステム（ＴＣＳ）など各種システム全般に適用できるのは言うまでもない。
【００４１】
【発明の効果】
以上のように、この発明のコネクタによれば、第１の端子群を構成する端子は、細長状の一体形成部材であり、その一端部が前記コネクタハウジング内に配設されると共に、その他端部が前記コネクタハウジングの外部に導出され、前記コネクタハウジングに、前記端子の外部への導出部分を端子部とするコネクタ部であって、前記装置の筺体内で前記第１の部品側のコネクタ部に嵌合可能なものが形成されているため、第１の端子群については、従来のような半田付け作業を行うことなく上記コネクタ部とこれに嵌合しうる部品側のコネクタ部とを嵌合させるだけでよく、コネクタと部品との接続を容易に行うことができ、接続工数の削減を図ることができるという利点がある。
しかも、前記第２の端子群を構成する端子は、その一端部が前記コネクタハウジング内に配設されると共に、その他端部が前記コネクタハウジングの外部に導出されて前記プリント基板に搭載された第２の部品に半田付けにより接続可能に形成されているため、これら第２の端子群を構成する端子については半田付けによりプリント基板の第２の部品に接続できる。
従って、装置内部と装置外部とを電気的に接続すべく装置側に設けられるコネクタに備えられた第１及び第２の端子群のうち、第１の端子群を構成する端子については、装置の筺体内で第１の部品とコネクタ接続でき、第２の端子群を構成する端子については、装置の筺体内でプリント基板に搭載された第２の部品に半田付けにより接続できる。
【００４２】
また、第１の端子群を構成する端子の外部への導出部分に、装置の筺体内で前記第１の部品側の接続端子に接続可能な中継端子を設けることによっても、当該第１の端子群を構成する端子と第１の部品側の接続端子とを中継端子を介して容易に接続することができるため、上記と同等の効果を得ることができる。
【図面の簡単な説明】
【図１】この発明の第１実施例の使用状態の分解斜視図である。
【図２】第１実施例の後ろ斜め上方から見た状態の斜視図である。
【図３】第１実施例の切断平面図である。
【図４】第１実施例のコネクタが使用されるＡＢＳにおける一体化ユニットの斜視図である。
【図５】図４のユニットの分解斜視図である。
【図６】この発明の第２実施例の切断平面図である。
【図７】この発明の第３実施例の使用状態の分解斜視図である。
【図８】第３実施例の後ろ斜め上方から見た状態の斜視図である。
【図９】第３実施例の切断平面図である。
【図１０】第１実施例のコネクタが使用されるＡＢＳにおける一体化ユニットの分解斜視図である。
【符号の説明】
１０ａ  バスバー
１１ａ  コネクタ部
２１，４１  コネクタハウジング
２２，４２  平形端子（大電流用の第１の端子群の端子）
２３，４３  ピン端子（小電流用の第２の端子群の端子）
２６  コネクタ部
２９  ハウジング
３０  ワイヤーハーネス
３４  コネクタ部
３６  ハウジング
４５  中継端子
【図１】
0003556688.tif 000002
【図２】
0003556688.tif 000003
【図３】
0003556688.tif 000004
【図４】
0003556688.tif 000005
【図５】
0003556688.tif 000006
【図６】
0003556688.tif 000007
【図７】
0003556688.tif 000008
【図８】
0003556688.tif 000009
【図９】
0003556688.tif 000010
【図１０】
0003556688.tif 000011